(57)【要約】  回転式収集装置は、印刷されたシート材料を排出するためのドラムと、コンベヤとを有しており、このコンベヤは、コンベヤチェーンと、コンベヤチェーンに結合された第１のピン及び第２のピンを有しており、これらのピンは、印刷されたシート材料をドラムから受け取るためのポケットを形成している。第１のピンは、垂直方向の力を受けた場合にコンベヤチェーンに対して所定の経路に沿って水平方向及び垂直方向に可動な第１の区分を有している。コンベヤ、ピン、及び関連する方法も開示されている。
2008531443.tif 000002
【特許請求の範囲】
【請求項１】
回転式収集装置において、
印刷されたシート材料を排出するための複数のドラムが設けられており、
コンベヤが設けられており、該コンベヤが、コンベヤチェーンと、該コンベヤチェーンに結合された第１のピン及び第２のピンとを有しており、前記第１のピン及び第２のピンが、印刷されたシート材料をドラムから受け取るためのポケットを形成しており、前記第１のピンが、垂直方向の力を受けた場合にコンベヤチェーンに対して所定の経路に沿って水平方向及び垂直方向に可動な第１の区分を有していることを特徴とする、回転式収集装置。
【請求項２】
前記第１のピンが、前記コンベヤチェーンに固定された第２の区分を有しており、第１の区分が第１のアームを介して第２の区分又はコンベヤチェーンに結合されており、第１の区分が作動位置と引っ込み位置とを有しており、前記第１のアームが、第１の区分が作動位置を占めている時にコンベヤチェーンの走行する受取り面に対して９０度未満の角度を成している、請求項１記載の回転式収集装置。
【請求項３】
前記角度が６０度〜７０度である、請求項２記載の回転式収集装置。
【請求項４】
前記角度が６５度である、請求項３記載の回転式収集装置。
【請求項５】
前記第１のピンが、上部区分を支持するための少なくとも１つの別のアームを有している、請求項２記載の回転式収集装置。
【請求項６】
第１の区分又は第２の区分が、第１の区分又は第２の区分の他方に設けられた突出区分と協働する切欠きを有している、請求項１記載の回転式収集装置。
【請求項７】
前記第１の区分が作動位置に向かってばね負荷されている、請求項１記載の回転式収集装置。
【請求項８】
前記第１の区分が作動位置と引っ込み位置との間にある時には第１の区分が第１の区分の上面及び前面において１１ｌｂｓ未満の力を加えるようになっている、請求項７記載の回転式収集装置。
【請求項９】
第１のピンが第１の区分を作動位置に向かって押し付けるねじりばねを有している、請求項７記載の回転式収集装置。
【請求項１０】
第１のピンが、第１の区分が所定の経路の一方の端部を越えて移動するのを阻止するストッパを有している、請求項１記載の回転式収集装置。
【請求項１１】
前記ストッパが、第１の区分と第２の区分とを結合するアームに固定された、第１の区分と第２の区分とを結合する別のアームを支持するピボットと協働するストッパプレートを含む、請求項１０記載の回転式収集装置。
【請求項１２】
第２のピンが、垂直方向の力を受けた場合にコンベヤチェーンに対して第２の所定の経路に沿って水平方向及び垂直方向に可動な別の区分を有している、請求項１記載の回転式収集装置。
【請求項１３】
回転式収集装置において、
印刷されたシート材料を排出するための複数のドラムが設けられており、
コンベヤが設けられており、該コンベヤが、コンベヤチェーンと、該コンベヤチェーンに結合された第１のピン及び第２のピンとを有しており、前記第１のピン及び第２のピンが、印刷されたシート材料をドラムから受け取るためのポケットを形成しており、前記第１のピンが、所定の経路に沿って水平方向及び垂直方向に可動な第１の区分と、該第１の区分を支持する複数のアームとを有していることを特徴とする、回転式収集装置。
【請求項１４】
前記第１の区分が前面を有しており、第１の区分が作動位置を占めている時に複数のアームが前記前面に対して角度を成して配置されている、請求項１３記載の回転式収集装置。
【請求項１５】
印刷されたシート材料のためのコンベヤにおいて、
コンベヤチェーンと、該コンベヤチェーンに結合された第１のピン及び第２のピンとが設けられており、前記第１のピン及び第２のピンが、印刷されたシート材料をドラムから受け取るためのポケットを形成しており、前記第１のピンが、垂直方向の力を受けた場合にコンベヤチェーンに対して所定の経路に沿って水平方向及び垂直方向に可動な第１の区分を有していることを特徴とする、印刷されたシート材料のためのコンベヤ。
【請求項１６】
印刷されたシート材料を押すためのピンにおいて、
第１の区分と、第２の区分と、複数の可動なアームとが設けられており、第１の区分がアームによって支持されておりかつ、第２の区分に対して所定の経路に沿って水平方向及び垂直方向に可動であることを特徴とする、印刷されたシート材料を押すためのピン。
【請求項１７】
回転式収集装置を操作する方法において、
コンベヤを第１の方向に移動させるステップを含み、前記コンベヤが複数のピンを有しており、これらのピンが、ピンとピンとの間に、印刷されたシート材料のためのポケットを形成しており、
印刷されたシート材料をポケットに収集するステップを含み、
垂直方向の力を受けた場合に少なくともピンの区分を所定の経路に沿って移動させるステップを含むことを特徴とする、回転式収集装置を操作する方法。
【発明の詳細な説明】
【技術分野】
【０００１】
発明の背景
本発明は、概して、印刷されたシート材料コンベヤを備えた装置、例えば回転式収集装置、印刷されたシート材料を搬送するために使用されるコンベヤ、及び印刷されたシート材料を押すために使用されるピンに関する。
【０００２】
米国特許第３８２５２４７号明細書には、折丁等の印刷されたシート材料をコンベヤに排出する複数のグリッパドラムを有する回転式収集装置が記載されている。コンベヤチェーンから垂直に延びたピンは、搬送方向で、収集された折丁のためのポケットを形成している。
【０００３】
コンベヤチェーンから延びた剛性のピンに加え、図１は従来の装置を示しており、この装置では、ピン４は、チェーン８に固定された基部に取り付けられた１つのピボット６に取り付けられている。
【０００４】
円形のプラスチックロッド又はタブから成りかつ基部を介してチェーンに固定されたピンも知られている。
【０００５】
コンベヤチェーンによって形成された軌道へのアクセスを制限するためにドロップダウンガードが必要とされる。ガードを昇降させることは、回転式収集装置の休止時間を著しく増大するおそれがある。ドロップダウンガードのための主たる理由は、ピンがドラムの下方を通過するときに生ぜしめられる危険に対して保護することである。
【０００６】
発明の概要
チェーンから延びた剛性のピンは、ピンが、回転するドラム面を通過するか又はこのドラム面に接触するときに危険を生じるおそれがある。なぜならば、オペレータの衣服等の材料又は物体がピンと回転するドラム面との間に挟まれるおそれがあるからである。ピボット又はプラスチックチューブを備えた従来のピンは水平方向の力によって曲がることができるが、ピボットと一列を成す垂直方向の力を受けた場合には折り畳まれることはできない。例えば、ピンの上面に接触する回転するドラム面、又はピンの上面と回転するドラム面との間に詰まった物品が、このような垂直方向の力を生じるおそれがある。
【０００７】
本発明の目的は、従来のピンによって生ぜしめられる危険を減じることである。本発明の別の択一的な又は付加的な目的は、ピンに作用する垂直方向の力が容易にピンを引っ込めさせることである。
【０００８】
本発明は、
印刷されたシート材料を排出するための複数のドラムが設けられており、
コンベヤが設けられており、該コンベヤが、コンベヤチェーンと、該コンベヤチェーンに結合された第１のピン及び第２のピンとを有しており、前記第１のピン及び第２のピンが、印刷されたシート材料をドラムから受け取るためのポケットを形成しており、前記第１のピンが、垂直方向の力を受けた場合にコンベヤチェーンに対して所定の経路に沿って水平方向及び垂直方向に可動な第１の区分を有している、回転式収集装置を提供する。
【０００９】
第１のピンが垂直方向の力を受けた場合に第１のピンの制御された所定の移動を許容することによって、ピンの引っ込み可能性及び回転式収集装置の安全性が改良されることができる。
【００１０】
第１のピンは、チェーンに固定された第２の区分を有しており、第１の区分は第１のアームを介して第２の区分又はチェーンに結合されており、第１の区分は作動位置と引っ込み位置とを有している。第１のアームは、第１の区分が作動位置を占めている時にはコンベヤチェーンの走行する受取り面に対して９０度以外の角度を成している。作動位置角度は例えば６０度から７０度、例えば６５度である。
【００１１】
第１のピンはさらに、上部区分を支持するための別のアーム、例えば３つの別のアームを有しており、全てのアームは同じ作動位置角度を有している。
【００１２】
第１の区分及び第２の区分は、第１の区分の横移動を制限するように、他方の区分に設けられた突出区分と協働する切欠きを有している。
【００１３】
第１の区分は好適には作動位置に向かってばね負荷されており、好適には第１の区分は、第１の区分が作動位置と引っ込み位置との間にある時には、第１の区分と接触する物体に対して１１ｌｂｓ（４９Ｎ）未満の力を加える。ばねは例えば、力が引っ込み位置において最大であるが作動位置においてより小さくなるようなねじりばねである。ねじりばねは、アームのうちの一方を支持するピボット、例えば第１の区分を貫通したピボットの周囲に配置されている。
【００１４】
好適には、第１のピンは、第１の区分が、引っ込み位置とは反対方向に作動位置を越えて移動するのを阻止するストッパを有している。ストッパは例えば、一方のアームに固定された、他方のアームを支持するピボットと協働するストッパプレートであることができる。ばねは、第１の区分をストッパに対して押し付けるように作動位置において所定の力が生じるように予負荷されている。
【００１５】
第２のピンを含むそれぞれのピンは第１のピンと同様の構造を有している。
【００１６】
本発明の回転式収集装置は、チェーンとドラムとの間の空間を保護するために落下する、ドラムの両側に設けられたドロップダウンガードが設けられていない。
【００１７】
本発明は、第１のピンと同様のピンを有する、印刷されたシート材料のための搬送装置をも提供し、本発明は、第１のピンに関して説明されたようなピンをも含む。
【００１８】
ここで定義される"チェーン"は、印刷された材料のシートを収集するのに適したあらゆるタイプの装置であることができ、例えばベルトを含むことができる。
【００１９】
本発明は、コンベヤを第１の方向に移動させるステップを含み、前記コンベヤが複数のピンを有しており、これらのピンが、ピンとピンとの間に、印刷されたシート材料のためのポケットを形成しており、
印刷されたシート材料をポケットに収集するステップを含み、
垂直方向の力を受けた場合に少なくともピンの区分を所定の経路に沿って移動させるステップを含む、回転式収集装置を操作する方法をも提供する。
【００２０】
好適な実施形態の詳細な説明
以下に本発明の好適な実施形態を図面を参照に説明する。
【００２１】
図２は、印刷されたシート材料、例えば、ドラム１２から解放されてコンベヤ２０のポケット領域１４に落下するように示された、折り畳まれた被印刷製品１６、を排出するためのドラム１２を有する回転式収集装置１０の側面図を概略的に示している。コンベヤ２０はチェーン２２及びピン２４，２６を有しており、これらのピンはポケット領域１４を形成している。例えば米国特許第３８２５２４７号明細書に記載されたドラムと同様のものであってよい複数のドラム１２が通常は、回転式収集装置１０のために提供されている。
【００２２】
チェーン２２の上面は、ドラム１２の下側に位置する場合、受取り面２８を形成する。各ピン２４，２６は、第１の区分すなわち上部区分３２と、例えばねじ又はボルトを介してチェーン２２に固定された第２の区分すなわち下部区分３４とを有している。アーム３６は、第１の区分３２を支持するために第１の区分３２を第２の区分３４に結合しており、第１の区分３２は第２の区分３４に対して可動である。アーム３６は、第１及び第２の区分３２，３４に、旋回可能に、すなわち回転可能に結合されている。
【００２３】
すなわち、アーム３６は、第１の区分３２を、ピン２６に関して図２に示されたような作動位置、又はピン２４において破線によって示されたような引っ込み位置に支持することができる。
【００２４】
したがって、第１の区分３２が作動位置を占めている時、アーム３６は、方向Ｄに走行する面２８に対して角度Ａを成して配置されている。作動位置角度Ａは、例えば６０〜７０度、例えば６５度であることができる。したがって、アーム３６は、第１の区分３２の前面すなわち押し付け面に対しても角度を成している。
【００２５】
上側区分３２が、前方からの水平方向の力ＦＨと、上方からの垂直方向の力ＦＶとを受けると、ピン２４，２６の第１の区分３２は所定の経路Ｐに沿って移動することができる。このようにしてドラム１２と第１の区分３２の上面２８との間に配置された物体は、第１の区分３２に主として垂直方向の力を加え、これによって、第１の区分３２を制御しながら下方及び後方へ移動させ、ピン又は物体への損傷を回避又は減少させる。
【００２６】
図３に関してより詳細に説明されているように、第１の区分３２はアーム３６によって第２の区分３４に結合されている。アーム３６と別のアーム８６とは第２の区分３４にピン４２を介して回動可能に結合されておりかつ、第１の区分３２にピン４４を介して回動可能に結合されている。
【００２７】
別のアーム５６が、ピンの、アーム３６と同じ側に配置されており、第１の区分３４にピン５４を介して回動可能に結合されている。アーム５６は、他方の端部において第１の区分３２にピボット５２を介して回動可能に結合されている。この端部において、アーム５６は、ばねストッパ６６を有する延長部５８を有しており、このばねストッパ６６は延長部５８に固定されている。
【００２８】
ねじりばね６０は、ピン５２に被せ嵌められておりかつ、第１の区分３２に設けられた孔に嵌入されており、この場合、ねじりばねの一方のモーメントアームは、第１の区分３２に設けられた切欠きに嵌入されており、ねじりばね６０の他方のモーメントアーム６１は、例えば図４に示されているようにばねストッパ６６に対して当接している。
【００２９】
したがって、第１の区分３２は、経路Ｐに沿って移動するように作動位置の方向にばね負荷されている。第１の区分は、第１の区分３２の横移動を制限しかつ横方向安定性をより提供するために、第２の区分に設けられた突出区分９４と協働する切欠き９２を有している。切欠き９２と突出区分９４とにより、第２の区分３４の前側３５は平らでない上縁３７を有しており（また、第１の区分の前側は平らでない下縁を有しており）、これにより、シート材料が第１及び第２の区分３２，３４の間に捕捉される。
【００３０】
好適には、第１の区分は、作動位置と引っ込み位置との間の経路Ｐに沿って移動しながら、物体に１１ｌｂｓ（４９Ｎ）未満の力を加える。
【００３１】
摩擦がほとんどなく、ねじりばねとすると、ねじりばねは、第１の区分の上側又は前側に接触する定置の物体に多くとも１１ｌｂｓの力を提供するように選択されることができる。ばね定数は、回転式収集装置の寸法及びその他の特性に基づきこの要求に適合するように選択される。
【００３２】
図４及び図５に示されているように、別のアーム９６が、アーム５６と向き合って設けられており、この場合にもまたピボット５２及び５４を介して結合されている。アーム８６に固定されたストッパプレート８８は、ピボット５２との協働により、第１の区分が引っ込み位置とは反対方向に作動位置を越えて移動するのを阻止している。ばね６０は、作動位置において第１の区分３２のピボット５２をストッパプレート８８に対して押し付けるような力が存在するように、組立て時に予負荷される。
【００３３】
図５及び図４に関しても示されているように、延長部５８が図５に示された作動位置から図４に示された引っ込み位置４へ下方に移動する際に、モーメントアーム６１に対するピン６６の移動によりばね６０は圧縮する。したがって、第１の区分３２から力ＦＶ又はＦＨ（図２）が除去された時には、ばね６０は、第１の区分３２を作動位置へ復元させようとする力を提供する。
【００３４】
図６は第１の区分３４の下側を示しており、第１の区分の下側は、例えばチェーン２２のマスターリンク２５に設けられた支持体２３と協働することによってピン２６をチェーン２２に取り付けることができるようにするための孔７２，７４を有している。第１の区分３４の底部は、図示のように分割されていることができ、第２の区分３４を支持体２３に締め付けるためにねじは分割された区分を締め付けることができる。マスターリンクは細長く、適切なポケットの間隔を提供するようにチェーン２２に沿って間隔を置いて配置されていることができる。チェーン２２は、収集されたシート材料をさらに排出するために９０度ねじれたサイドボートチェーンであることができる。
【図面の簡単な説明】
【００３５】
【図１】回転式収集装置のピンの従来の実施形態を示す図である。
【図２】図２は、作動位置におけるピンを備えた本発明による回転式収集装置の概略的な断面図である。
【図３】引っ込み位置における本発明によるピンの斜視図である。
【図４】図３に示された引っ込み位置におけるピンの反対側を示す斜視図である。
【図５】作動位置におけるピンの、図４と同じ側を示す斜視図である。
【図６】ピンの底部を示す斜視図である。
【図７】本発明のピンのためのチェーンを示す図である。
【符号の説明】
【００３６】
１０  回転式収集装置、  １２  ドラム、  １４  ポケット領域、  １６  被印刷製品、  ２０  コンベヤ、  ２２  チェーン、  ２３  支持体、  ２５  マスターリンク、  ２４，２６  ピン、  ２８  受取り面、  ３２  第１の区分、  ３４  第２の区分、  ３５  前側、  ３６  アーム、  ３７  上面、  ４４  ピン、  ５２  ピボット、  ５６  アーム、  ５８  延長部、  ６０  ねじりばね、  ６１  モーメントアーム、  ６６  ばねストッパ、  ７２，７４  孔、  ８６  アーム、  ８８  ストッパプレート、  ９２  切欠き、  ９４  突出区分、  ９６  アーム
【図１】
2008531443.tif 000003
【図２】
2008531443.tif 000004
【図３】
2008531443.tif 000005
【図４】
2008531443.tif 000006
【図５】
2008531443.tif 000007
【図６】
2008531443.tif 000008
【図７】
2008531443.tif 000009